【手続補正書】
【提出日】平成24年3月19日(2012.3.19)
【手続補正１】
【補正対象書類名】明細書
【補正対象項目名】００１０
【補正方法】変更
【補正の内容】
【００１０】
この発明のある局面に従うと、少なくとも第１端末と第２端末とを備えるネットワークシステムが提供される。第１端末は、第１通信部と、記憶部と、第１データを取得するための第１取得部と、第１通信部を用いて、第１端末が第２端末と第１データの交換ができる第１状態か、第１端末が第２端末と第１データの交換ができない第２状態かを検出することによって、第２状態中に取得される第１データの一部を第２データとして記憶部に記憶し、第２状態から第１状態へと遷移したときに第２データを第２端末へと送信する第１制御部とを含む。第２端末は、ディスプレイと、第２通信部と、第１状態中は第２通信部を用いて第１端末から第１データを順次受信するとともに、第２状態から第１状態へと遷移したときに第１端末から第２データを受信する第２制御部と、第１データおよび第２データを順次ディスプレイに表示する表示制御部とを含む。
【手続補正２】
【補正対象書類名】明細書
【補正対象項目名】００１２
【補正方法】変更
【補正の内容】
【００１２】
この発明の別の局面に従うと、ネットワークを介して他の端末と接続可能な通信端末が提供される。通信端末は、通信部と、記憶部と、第１データを取得するための第１取得部と、通信部を用いて、通信端末が他の端末と第１データの交換ができる第１状態か、通信端末が他の端末と第１データの交換ができない第２状態かを検出することによって、第２状態中に取得される第１データの一部を第２データとして記憶部に記憶し、第２状態から第１状態へと遷移したときに第２データを他の端末へと送信する制御部とを備える。
【手続補正３】
【補正対象書類名】特許請求の範囲
【補正対象項目名】全文
【補正方法】変更
【補正の内容】
【特許請求の範囲】
【請求項１】
少なくとも第１端末と第２端末とを備えるネットワークシステムであって、
前記第１端末は、
第１通信部と、
記憶部と、
第１データを取得するための第１取得部と、
前記第１通信部を用いて、前記第１端末が前記第２端末と前記第１データの交換ができる第１状態か、前記第１端末が前記第２端末と前記第１データの交換ができない第２状態かを検出することによって、前記第２状態中に取得される前記第１データの一部を第２データとして前記記憶部に記憶し、
前記第２状態から前記第１状態へと遷移したときに前記第２データを前記第２端末へと送信する第１制御部とを含み、
前記第２端末は、
ディスプレイと、
第２通信部と、
前記第１状態中は前記第２通信部を用いて前記第１端末から前記第１データを順次受信するとともに、前記第２状態から前記第１状態へと遷移したときに前記第１端末から前記第２データを受信する第２制御部と、
前記第１データおよび前記第２データを順次前記ディスプレイに表示する表示制御部とを含む、ネットワークシステム。
【請求項２】
前記第２端末は、前記第２端末の位置情報を取得する第２取得部をさらに含み、
前記第１取得部は、前記第１端末の位置情報を前記第１データとして取得し、
前記表示制御部は、前記第１端末および前記第２端末の位置情報に基づいて、前記第１端末および前記第２端末の位置を前記ディスプレイに表示する、請求項１に記載のネットワークシステム。
【請求項３】
ネットワークを介して他の端末と接続可能な通信端末であって、
通信部と、
記憶部と、
第１データを取得するための第１取得部と、
前記通信部を用いて、前記通信端末が前記他の端末と前記第１データの交換ができる第１状態か、前記通信端末が前記他の端末と前記第１データの交換ができない第２状態かを検出することによって、前記第２状態中に取得される前記第１データの一部を第２データとして前記記憶部に記憶し、
前記第２状態から前記第１状態へと遷移したときに前記第２データを前記他の端末へと送信する制御部とを備える、通信端末。
【請求項４】
ネットワークを介して他の端末と接続可能な通信端末であって、
ディスプレイと、
通信部と、
前記他の端末が前記通信端末と第１データの交換ができる第１状態中は前記通信部を用いて前記他の端末から前記第１データを順次受信し、前記他の端末が前記通信端末と前記第１データの交換ができない第２状態から前記第１状態へと遷移したときに前記他の端末から第２データを受信する通信制御部と、
前記第１データおよび前記第２データを前記ディスプレイに表示する表示制御部とを備える、通信端末。
【請求項５】
少なくとも第１端末と第２端末を備えるネットワークシステムにおける通信方法であって、
前記第１端末が、第１データを取得するステップと、
前記第１端末が、前記第１端末が前記第２端末と前記第１データの交換ができる第１状態か、前記第１端末が前記第２端末と前記第１データの交換ができない第２状態かを検出することによって、前記第２状態中に取得される前記第１データの一部を第２データとして記憶部に記憶するステップと、
前記第１端末が、前記第１状態中に、前記第１データを前記第２端末へと順次送信するステップと、
前記第２端末が、前記第１状態中に、前記第１端末から前記第１データを順次受信するステップと、
前記第１端末が、前記第２状態から前記第１状態へと遷移したときに前記第２データを前記第２端末へと送信するステップと、
前記第２端末が、前記第２状態から前記第１状態へと遷移したときに前記第１端末から前記第２データを受信するステップと、
前記第２端末が、前記第１データおよび前記第２データを順次ディスプレイに表示するステップとを備える、通信方法。
【請求項６】
ネットワークを介して他の端末と接続可能な、通信部と演算処理部と記憶部とを含む通信端末における通信方法であって、
前記演算処理部が、第１データを取得するステップと、
前記演算処理部が、前記通信部を用いて、前記通信端末が前記他の端末と前記第１データの交換ができる第１状態か、前記通信端末が前記他の端末と前記第１データの交換ができない第２状態かを検出することによって、前記第２状態中に取得される前記第１データの一部を第２データとして前記記憶部に記憶するステップと、
前記演算処理部が、前記通信部を用いて、前記第２状態から前記第１状態へと遷移したときに前記第２データを前記他の端末へと送信するステップとを備える、通信方法。
【請求項７】
ネットワークを介して他の端末と接続可能な、通信部と演算処理部とディスプレイとを含む通信端末における通信方法であって、
前記演算処理部が、前記他の端末が前記通信端末と第１データの交換ができる第１状態中、前記通信部を用いて前記他の端末から前記第１データを順次受信するステップと、
前記演算処理部が、前記他の端末が前記通信端末と前記第１データの交換ができない第２状態から前記第１状態へと遷移したときに、前記通信部を用いて前記他の端末からの第２データを受信するステップと、
前記演算処理部が、前記第１データおよび前記第２データを順次前記ディスプレイに表示するステップとを備える、通信方法。
【請求項８】
ネットワークを介して他の端末と接続可能な、通信部と演算処理部と記憶部とを含む通信端末に通信させるための通信プログラムであって、
前記通信プログラムは、前記演算処理部に、
第１データを取得するステップと、
前記通信部を用いて、前記通信端末が前記他の端末と前記第１データの交換ができる第１状態か、前記通信端末が前記他の端末と前記第１データの交換ができない第２状態かを検出することによって、前記第２状態中に取得される前記第１データの一部を第２データとして前記記憶部に記憶するステップと、
前記通信部を用いて、前記第２状態から前記第１状態へと遷移したときに前記第２データを前記他の端末へと送信するステップとを実行させる、通信プログラム。
【請求項９】
ネットワークを介して他の端末と接続可能な、通信部と演算処理部とディスプレイとを含む通信端末に通信させるための通信プログラムであって、
前記通信プログラムは、前記演算処理部に、
前記他の端末が前記通信端末と第１データの交換ができる第１状態中、前記通信部を用いて前記他の端末から前記第１データを順次受信するステップと、
前記他の端末が前記通信端末と前記第１データの交換ができない第２状態から前記第１状態へと遷移したときに、前記通信部を用いて前記他の端末からの第２データを受信するステップと、
前記第１データおよび前記第２データを順次前記ディスプレイに表示するステップとを実行させる、通信プログラム。